(57)【特許請求の範囲】
【請求項１】
略水平方向に向けて開口部が設けられ、該開口部の上下端部にそれぞれ係止部を有する箱形の支持体と、
前記開口部を覆う表示部と、該表示部の裏面側に設けられ前記支持体の前記それぞれの係止部に対して着脱可能に係止される複数の被係止部とを有する表示体と、
前記表示体の前記支持体に対する係止位置固定と係止解除とを行う固定部材とを備え、
前記上端部の係止部は、
前記支持体の上側の側面と前記開口部に沿って延びる平行な壁体とからなる一対の板状突起により上向きに開口した凹形状の溝として形成され、
前記下端部の係止部は、
前記支持体の下側の側面から前記開口部に沿って延びる鉛直上方向に延された板状突起として形成され、
前記被係止部は、
前記表示体の上側の側面から鉛直下方に突出され、前記上端部の係止部の溝内に鉛直上方から挿入されて係止する凸形状の係止突起と、
前記表示体の下側の内側面に固定されて前記表示部の裏面側に設けられ、前記下端部の前記板状突起に上方から係止する鉛直下向きに開口した凹形状の係止金具と、
を有する構成とされ、
前記固定部材は、
前記表示体の上側の側面を下方に押えて係止位置を固定する
ことを特徴とする壁面看板。
【請求項２】
前記固定部材が、弾性部材からなり、
該弾性部材を弾性変形させることにより、前記表示体の係止を解除できるようにしたことを特徴とする請求項１に記載の壁面看板。
【請求項３】
前記表示体の前記表示部が光透過性の合成樹脂からなり、
前記支持体内部に、前記表示部を裏面照明する照明手段を備えたことを特徴とする請求項１または２に記載の壁面看板。
【発明の詳細な説明】
【技術分野】
【０００１】
本発明は壁面看板に関する。例えば、建物の軒部、ファサードあるいは壁面などの側面の外装を形成する壁面看板である、パラペットサイン、パラペット看板などに関し、特に内照式看板に好適なものに関する。
【背景技術】
【０００２】
従来、例えば、建物の軒部、ファサードあるいは壁面などの側面の外装を形成するパラペットサインなどの壁面看板は、しばしば内照式看板として構成され、店舗を印象づけるデザインや店名標示、ロゴ標示などが平面的または立体的に表示された表示体をアクリルなどの表面部材で形成し、その周辺部を押え前枠部材で押えることにより建物に設けられた支持体に固定するのが一般的であった。
例えば、特許文献１には、一方に開口した箱形のプラスチック製の外装看板が記載されている。この外装看板は、開口部の外周から外側に向けて鍔が形成されており、この鍔を、看板取付面と、押え前枠部材である接合アングルとの間で挟持して固定されている。
外装看板の内部には蛍光灯が設けられ、内照式看板となっている。
また、特許文献２には、プラスチック板で構成され広告表示を行うパネル部材が、その周辺部でアルミを射出成形した枠部によって支持され、光源が設けられたハウジングの開口の上部において回動可能に結合されている内照式看板が記載されている。この回動部は、パネル部材から延された被係止部が、ハウジングの上部から張り出した上方に開口する溝からなる係止部の上端に引っ掛けられ、係止部に引っ掛けられた被係止部が回転できる懐が形成されているものである。
【特許文献１】特開平９−１０１７５０号公報（図１−６）
【特許文献２】特開平１０ー３２１０１１号公報（図１、２）
【発明の開示】
【発明が解決しようとする課題】
【０００３】
しかしながら、上記のような従来の壁面看板には、以下のような問題があった。
特許文献１に記載の技術では、外装看板を固定するのに接合アングルを用いているが、接合アングルは外装看板の外表面の周辺部に設けられるので、本来、看板の表示部として用いることができる表面の表示面積が減少してしまうという問題がある。
また、接合アングルは看板の表示部と同様に外部に露出される部材なので、看板と調和しない材質や色などの部材の場合には看板の見栄えに影響する。そのため、看板のデザインに応じた装飾性が求められ、汎用的な材料による押え部材に比べて、高価な部材となってしまうという問題がある。
また、接合アングルには内部の照明光が透過しないから、昼間は看板の一部として見えていた接合アングルが、夜間には見えなくなるか、見えにくくなるため、看板が昼間とは異なる印象を与えてしまうという問題がある。
また、特許文献１の外装看板は、例えば、蛍光灯のメンテナンスや内部の清掃を行うためには、接合アングルをすべて外す必要があるので、メンテナンスの手間が係るという問題がある。
特許文献２に記載の技術では、パネル部材を枠部とともに回動して蓋体として、ハウジングから開け閉めできるため、メンテナンスが容易となるものの、枠部が押え前枠部材となっているので、パネル部材の周辺部が、枠部により覆われてしまうのは、特許文献１と同様である。
また、枠部は、回動部を形成するために、アルミの成形品などを用いる必要があるため、高価な部材となってしまうという問題がある。
【０００４】
本発明は、上記のような問題に鑑みてなされたものであり、表示体の表面側の面積を有効活用することができ、美観を損ねることなく、しかも内部のメンテナンスが容易となる壁面看板を提供することを目的とする。
【課題を解決するための手段】
【０００５】
上記の課題を解決するために、請求項１に記載の発明では、略水平方向に向けて開口部が設けられ、該開口部の上下端部にそれぞれ係止部を有する箱形の支持体と、前記開口部を覆う表示部と、該表示部の裏面側に設けられ前記支持体の前記それぞれの係止部に対して着脱可能に係止される複数の被係止部とを有する表示体と、前記表示体の前記支持体に対する係止位置固定と係止解除とを行う固定部材とを備え、前記上端部の係止部は、前記支持体の上側の側面と前記開口部に沿って延びる平行な壁体とからなる一対の板状突起により上向きに開口した凹形状の溝として形成され、前記下端部の係止部は、前記支持体の下側の側面から前記開口部に沿って延びる鉛直上方向に延された板状突起として形成され、前記被係止部は、前記表示体の上側の側面から鉛直下方に突出され、前記上端部の係止部の溝内に鉛直上方から挿入されて係止する凸形状の係止突起と、前記表示体の下側の内側面に固定されて前記表示部の裏面側に設けられ、前記下端部の前記板状突起に上方から係止する鉛直下向きに開口した凹形状の係止金具と、を有する構成とされ、前記固定部材は、前記表示体の上側の側面を下方に押えて係止位置を固定する構成とする。
この発明によれば、表示部の裏面側に設けられた被係止部が支持体の係止部に係止されることにより、表示体が支持体に係止され、固定部材により係止位置を固定することができる。そのため、表示体が表示部により支持体の開口部を覆うように係止される。また、固定部材により係止解除を行うことにより、表示体を支持体から外すことができる。
また、それぞれの係止部が支持体の上端側または下端側の側面と、略鉛直同方向に延された板状突起からなり、それにより、係止される被係止部と係止部とが凹形状と凸形状とからなり、略鉛直方向に沿って着脱可能とされているので、回動部簡素な構成により、表示体を略鉛直方向に移動させて着脱することができる。
【０００７】
請求項２に記載の発明では、請求項１に記載の壁面看板において、前記固定部材が、弾性部材からなり、該弾性部材を弾性変形させることにより、前記表示体の係止を解除できるようにした構成とする。
この発明によれば、弾性部材を弾性変形させることにより、表示体の係止を解除することができるので、表示体の着脱が容易となる。
【０００８】
請求項３に記載の発明では、請求項１または２に記載の壁面看板において、前記表示体の前記表示部が光透過性の合成樹脂からなり、前記支持体内部に、前記表示部を裏面照明する照明手段を備えた構成とする。
この発明によれば、表示体が表示部の裏面側で係止されて支持体の開口部を略覆うので、表示体の表面を、例えば枠体などの係止部材で覆うことなく支持体に係止することができる内照式看板を構成することができる。
【発明の効果】
【０００９】
本発明の壁面看板によれば、表示体が支持体に対して裏面側で着脱可能に係止されるので、表示体の表面側の面積を有効活用することができ、美観を損ねることなく、しかも内部のメンテナンスを容易に行うことができるという効果を奏する。
【発明を実施するための最良の形態】
【００１０】
以下では、本発明の実施の形態について添付図面を参照して説明する。すべての図面において、実施形態が異なる場合であっても、同一または相当する部材には同一の符号を付し、共通する説明は省略する。
本発明の実施形態に係る壁面看板について説明する。
図１は、本発明の実施形態に係る壁面看板の概略構成について説明するための鉛直方向に沿う断面説明図である。図２は、図１のＡ部およびＢ部の部分拡大図である。
【００１１】
本実施形態のパラペット看板１（壁面看板）は、例えば、建物の軒部、ファサードあるいは壁面などに取付面に取り付けられ、建物の側方を装飾するもので、図１に示すような断面構成が、取付面に沿って水平方向に延されて帯状とされたものである。取付面は、特に図示しないが、図１の紙面鉛直方向に、例えば建物や店舗の幅に応じて適宜長さだけ延されている。図示左側が建物の外側に相当する。
パラペット看板１の概略構成は、表示体２および表示体支持部３からなる。
【００１２】
表示体２は、例えば外装デザインや店名など標示したり、広告などの情報を表示したりするものであり、本実施形態では、断面Ｕ字状で一方に開口を有する箱状に成形された表示体本体２Ａ、表示体本体２Ａ上の一部に例えば象嵌などにより取り付けられ、表示体本体２Ａとは異なる表示、例えば店名などを表示する店名表示部２Ｂとからなる。
表示体本体２Ａ、店名表示部２Ｂは、基材として、例えば乳白色のアクリル樹脂などの、光透過性の合成樹脂により成形されたものを採用することができる。
【００１３】
表示体本体２Ａの箱底面は、例えば円筒状などの立体形状を有し、正面表示部２ａとして、適宜の標示、表示などが色分けされたり、基材の凹凸形状などにより形成されたりしている。
正面表示部２ａの外周には、箱側面が形成されている。すなわち、図１に示すように、上下方向に上側面２ｂ、下側面２ｃを備え、図示しない奥行き方向の前後に鉛直方向に延びる２つの側面を備えている。
【００１４】
上側面２ｂの内側面には、表示体２を支持体３の上端部に係止するために、上側面２ｂの長手方向に沿って係止突起２Ｃ（被係止部）が立設されている。係止突起２Ｃは、上側面２ｂから鉛直下方に突出する凸形状を形成している。本実施形態では、上側面２ｂの先端面と係止突起２Ｃの側面とは略整列されている。
【００１５】
下側面２ｃの内側面には、下側面２ｃの長手方向に沿ってブロック部材からなる係止金具取付部材２Ｄが立設されている。係止金具取付部材２Ｄは、表示体２を支持体３の下端部に係止するために、下向きに開口するコ字状に折り曲げられた係止金具２Ｅ（被係止部）を固定する部材である。
係止金具２Ｅは、本実施形態では、係止金具取付部材２Ｄに対して皿ネジ１０によりネジ止めされている（図２（ｂ）参照）。このため、皿ネジ１０のネジ頭は、係止金具２Ｅより突出しないようになっている。
そして、係止金具取付部材２Ｄに固定された係止金具２Ｅは、鉛直下向きに開口する凹形状が形成されている。
また、本実施形態では、係止金具取付部材２Ｄに固定された係止金具２Ｅの金具面が下側面２ｃの先端部と略整列され、さらに、上側面２ｂの先端と係止突起２Ｃとの整列面とも略整列されている。
【００１６】
係止突起２Ｃ、係止金具取付部材２Ｄは、適宜の材質を採用することができるが、上側面２ｂ、下側面２ｃに対して接着により容易に固定できるように、合成樹脂の角棒や板材などを採用することが好ましい。
また、係止突起２Ｃ、係止金具取付部材２Ｄ、係止金具２Ｅは、それぞれ上側面２ｂ、下側面２ｃの長手方向に沿って延設される１つの部材からなっていてもよいが、それらを、適宜の長さに分割して、間隔をあけて配置してもよい。
間隔をあける場合、支持体３の形状に応じて、適宜の形状、配置とすることができるが、支持体３の形状を簡素なものとするには、それぞれの係止突起２Ｃ、係止金具２Ｅを、図１の断面視において、図示奥行き方向に整列させて配置することが好ましい。
【００１７】
表示体支持部３の概略構成は、図１に示すように、支持筐体４（支持体）、照明ランプ６（照明手段）、および反射板５からなる。
支持筐体４は、概略コ字状の断面が図示奥行き方向に延設され、奥行き方向の端部に図示しない側面が設けられた一方に開口した略直方体である。
すなわち、壁側底面４ｃの外周に上側側面４ｂ、壁側底面４ｃと図示しない２つの側面が立設され、壁側底面４ｃの対向位置に開口部４ｈが形成された箱状部材である。例えば、アルミやステンレスなどの板金をプレス加工したものなどを採用することができる。
【００１８】
壁側底面４ｃには、支持筐体４内の自然換気が可能となるように鉛直下方に向けて開口した複数のギャラリ４ｆが設けられている。
上側側面４ｂには、開口部４ｈ側の先端に鉛直上向きの折り曲げられた上端板状突起４ａが図示奥行き方向にわたって設けられている。上端板状突起４ａの高さは、図２（ａ）に示すように、係止突起２Ｃの上側面２ｂからの突起高さと同等、もしくはわずかに低く設定されている。
【００１９】
上側側面４ｂ上には、上端板状突起４ａ（板状突起）と平行な壁体を形成するガイド板７（板状突起）が立設されている。上端板状突起４ａとガイド板７との間隔は、係止突起２Ｃの図示左右方向の幅よりわずかに大きく、例えば係止突起２Ｃを鉛直方向からわずかに傾斜させた状態で収容できる余裕を備えた大きさとされる。
すなわち、支持筐体４の上端部には、上端板状突起４ａ、上側側面４ｂ、ガイド板７により、上向きに開口した凹形状の溝を形成され、この溝の内面に係止突起２Ｃを係止可能な係止部が形成されている。
【００２０】
ガイド板７の上端部は、少なくとも図示奥行き方向において適宜間隔を空けた複数箇所において、係止突起２Ｃの下端から上側面２ｂの外表面までの高さより高い位置まで延されている。そして、上側面２ｂの外表面を鉛直下方に押える押え板８（固定部材）を固定するための雌ねじ部７ａが設けられている。
押え板８は、本実施形態では、押え面８ｂと直角に曲げられた板面上にネジ９を貫通させる止め孔８ａを設けたＬ字金具からなる。そして、図２（ａ）に示すように、押え板８により、上側面２ｂの上面側の外表面が下方に押しつけられ、係止突起２Ｃの下端が上側側面４ｂ上に係止されるとともに、上側面２ｂの先端面と、係止突起２Ｃの側面とがガイド板７に係止された状態で、表示体２が固定される。
【００２１】
本実施形態では、ガイド板７は、Ｌ字アングル材からなり、アングル底面と上側側面４ｂとがファスナ１１により接合されている。ファスナ１１は、雨水が支持筐体４内部に侵入しないようにすれば、ネジやボルトナットを採用することができる。また、ファスナ１１を用いずに溶接などにより接合してもよい。
【００２２】
下側側面４ｄには、図２（ｂ）に示すように、開口部４ｈ側の先端に上端板状突起４ａと同方向の鉛直上向きの折り曲げられた下端板状突起４ｅが図示奥行き方向にわたって設けられている。
下端板状突起４ｅの高さは、係止金具２Ｅの溝深さと略同等とされる。そのため、下端板状突起４ｅは、下側側面４ｄに対する凸形状をなす係止部を構成している。そして、係止金具２Ｅの凹形状により構成される表示体２の下端部の被係止部を略鉛直方向に沿って着脱可能に係止できるようになっている。
【００２３】
なお、本実施形態では、下端板状突起４ｅの高さは、上端板状突起４ａの高さよりは低い設定とされている。
また、本実施形態では、下端板状突起４ｅの図示左右方向の位置は、ガイド板７の立設位置と略整列されており、図１に示すように略鉛直線上にある。
また、下側側面４ｄの中間部には、支持筐体４の内部に雨水などが浸入した場合の水抜きや、内部の清掃の便のために、貫通孔４ｇが設けられている。
【００２４】
照明ランプ６は、表示体２の表示体本体２Ａ、店名表示部２Ｂを裏面照明するためのものであり、図１に示すように、支持筐体４の内部に設けられている。例えば、図示奥行き方向に延して配置された蛍光灯などを採用することができる。
照明駆動部６ａは、照明ランプ６を点灯制御するための手段であり、例えば、蛍光灯インバータなどからなる。
【００２５】
反射板５は、照明ランプ６の照明光を表示体２の裏面側に向けて効率的に照射するためのもので、照明ランプ６を取り囲んで開口部４ｈの側に略同じ大きさで開口する形状に湾曲された光反射性の部材からなる。本実施形態では、照明ランプ６の照明光を拡散反射させるため、表面が白色に塗装された金属板や鏡面の金属板など、あるいは白色の合成樹脂製の反射板などが使用される。
【００２６】
次に、表示体２の表示体支持部３に対する脱着動作について説明する。
図３は、本発明の実施形態に係る壁面看板の取り外し動作について説明するための鉛直方向に沿う断面説明図である。
【００２７】
表示体２は、上端側（図２（ａ）参照）では、係止突起２Ｃからなる被係止部が、上端板状突起４ａ、上側側面４ｂ、ガイド板７からなる凹形状の係止部に係止され、上側面２ｂの上方から押え板８により下方に押えられてネジ９でネジ止めされることで係止位置が固定されている。
また、下端側（図２（ｂ）参照）では、係止金具２Ｅからなる被係止部が、下端板状突起４ｅからなる係止部により係止されている。
【００２８】
表示体２を取り外すには、ネジ９を外して押え板８を取り外す。この状態で、図３に示すように、表示体２を鉛直上方に引上げると、上下端部のそれぞれの被係止部が支持筐体４の係止部に対して上方に引上げられ係止解除される。本実施形態では、下端板状突起４ｅの高さが上端板状突起４ａの高さよりも低いので、下端部から係止解除され、次いで上端部が係止解除される。したがって、下端部が係止解除された状態では、上端板状突起４ａとガイド板７との間の隙間と、係止突起２Ｃの幅寸法の寸法差に応じて、表示体２を斜めに傾斜させることもできる。
そして、表示体２を支持筐体４から図示左方向に移動することで、支持筐体４から離脱させることができる。
このようにして、表示体２を簡単な操作で取り外すことができるので、表示体２を清掃したり、交換したりすることが容易となる。また、支持筐体４の開口部４ｈが完全に露出されるので、支持筐体４の内部を清掃したり、メンテナンスしたりすることも容易となる。
【００２９】
取り付け動作は、上記とは逆に、表示体２の被係止部を支持筐体４の係止部を上方に配置し、略鉛直下方に移動することで、被係止部を係止部に引っ掛ける。そして、押え板８により上側面２ｂを下方に押えて係止位置を固定する。
本実施形態では、下端板状突起４ｅの高さが上端板状突起４ａの高さより低いため、取り付け動作を上下端部同時に行うのではなく、２段階に分けて行ってもよい。すなわち、まず、上端部の被係止部を係止部に係止して、表示体２を支持筐体４に仮係止する。そして仮係止状態を保ったまま、表示体２を下端板状突起４ｅの高さだけ上方に移動して、下端部の係止を行うようにしてもよい。
【００３０】
本実施形態のパラペット看板１では、支持筐体４の上下端部に板状突起により形成された凹形状、凸形状の係止部に対して、表示体２の表示部の裏面側の上下端部にそれぞれ凸形状、凹形状の被係止部を設けるという簡素な構成により、表示体２を支持筐体４に対して略鉛直方向に沿って脱着可能に係止することができる。そのため、表示体２の交換、メンテナンス、支持筐体４の内部の清掃、メンテナンスを容易に行うことができる。
また、表示部が表面側から枠体などの係止部材により覆われることなく係止されるので、表示部の表面側の面積を有効活用することができるとともに、美観を損ねることがないようにすることができる。
【００３１】
次に、本実施形態の変形例について説明する。
図４は、本発明の実施形態の変形例に係る壁面看板の概略構成について説明するための鉛直方向に沿う断面説明図である。図５（ａ）、（ｂ）は、本発明の実施形態の変形例に係る壁面看板の係止時および係止解除時の様子について説明するための、図４のＣ部の鉛直方向に沿う断面説明図である。
【００３２】
本変形例のパラペット看板２０（壁面看板）は、図４に示すように、上記実施形態の表示体２、ガイド板７に代えて、表示体２１、係止バネ２３（固定部材）を備え、反射板５を削除して照明ランプ６を断面当たり２灯に増加したものである。以下、上記実施形態と異なる点を中心に説明する。
【００３３】
表示体２１は、概略形状が表示体２と同様であり、表示体２の正面表示部２ａ、上側面２ｂ、下側面２ｃ、係止突起２Ｃ、係止金具取付部材２Ｄに対応して、それぞれ表示部２１ａ、上側面２１ｂ、下側面２１ｃ、係止突起部２１ｄ、係止金具取付部２１ｅを備える。また、特に図示しないが、図示奥行き方向には、表示部２１ａの端部から延された２つの側面を備え、表示体２と同様の略箱形の部材となっている。
そして、表示体２１ではこれらの各部が、例えばアクリル樹脂などの光透過性の合成樹脂により一体成形されている。
【００３４】
表示部２１ａは、図示では、一例として円筒状に湾曲した形状に描いているが、適宜の立体形状を採用することができる。また、表示体２の正面表示部２ａ、店名表示部２Ｂのように形状が異なったり、領域ごとに異なる表示機能を備えたりする構成としてもよい。
【００３５】
係止突起部２１ｄは、係止突起２Ｃと同様の大きさとしてもよいが、本変形例では、取り外しが容易となるように、係止突起２Ｃに対して図示左右方向の幅、上側面２１ｂからの高さが、より小さく設定されている。そのため、図５（ａ）に示すように、表示体２１の上端部は、上端板状突起４ａの上側先端と表示部２１ａの内面側が突き当てられて鉛直方向に係止される。すなわち、表示部２１ａ、上側面２１ｂ、係止突起部２１ｄにより下方に開口する凹形状の被係止部が形成され、上側側面４ｂから上方に突出する凸形状の板状突起である上端板状突起４ａにより係止部が形成されている。
【００３６】
係止金具取付部２１ｅは、上側面２１ｂ、下側面２１ｃに一体成形されている以外は、表示体２の係止突起２Ｃ、係止金具取付部材２Ｄと同様の形状を有する。したがって、表示体２１の下端部の被係止部と支持筐体４の下端部の係止部とは、表示体２と同様の構成を有する。
【００３７】
係止バネ２３は、図５（ａ）に示すように、上側側面４ｂに固定するための取付部２３ｄ、取付部２３ｄから略９０°に屈曲された水平係止部２３ａ、水平係止部２３ａから取付部２３ｄと反対側に略９０°に屈曲された鉛直係止部２３ｂ、および係止解除の操作を行うため鉛直係止部２３ｂから斜め上方に屈曲された操作部２３ｃからなり、断面がＷ字状に屈曲された板バネとして構成されている。そして、図示奥行き方向に適宜の幅を備え、取付部２３ｄの板面が上側側面４ｂと当接され、ファスナ１１、１１により固定されている。
係止バネ２３は、図示奥行き方向には、適宜の間隔をあけて複数個配置されている。
係止バネ２３の図示左右の水平方向における固定位置は、水平係止部２３ａと上端板状突起４ａとの間に適宜の隙間を設けて係止突起部２１ｄを収容することができるように設定される。
【００３８】
鉛直係止部２３ｂは、図示では見易さのため隙間を空けて描いているが、上側側面４ｂの上面から上端板状突起４ａの高さと上側面２１ｂの板厚を加えた高さと略同等の高さに配置される。そのため、係止時に上側面２１ｂの上面を上方から押える固定することができるようになっている
【００３９】
本変形例では、照明ランプ６を２灯設け、特に反射板５を用いることなく必要な光量を確保している例としているが、上記実施形態と同様に反射板５を配置してもよいことは言うまでもない。
【００４０】
本変形例の構成によれば、表示体２１の下端部は、表示体２と同様にして、支持筐体４に係止することができる。
また、表示体２１の上端部は、図５（ａ）に示すように、表示部２１ａの裏面側で上側面２１ｂの下面を上端板状突起４ａの先端に係止し、上側面２１ｂの上面が係止バネ２３の鉛直係止部２３ｂにより下方に押えられることで係止位置が固定される。
このとき、係止突起部２１ｄは、図示左右の水平方向には、上端板状突起４ａの側面と、水平係止部２３ａにより位置規制される。すなわち、係止バネ２３は、上記実施形態におけるガイド板７と同様な水平方向への係止部材または位置規制部材の機能も兼用している。
【００４１】
そして、この係止状態を解除するには、図５（ｂ）に示すように、操作部２３ｃを押圧して、水平係止部２３ａを上端板状突起４ａから離間させる方向（図５（ｂ）の右方向）に撓ませる。
そして、上端板状突起４ａと、係止バネ２３の先端部である操作部２３ｃとの間に隙間を形成し、その隙間を通して、表示体２１の上端部を鉛直上方に引上げる。このとき、表示体２１の下端部では、係止金具取付部２１ｅ（図４参照）に取り付けられた係止金具２ｅが同様に引上げられ、下端板状突起４ｅとの係止が解除される。
このようにして、表示体２１を支持筐体４から取り外すことができる。
【００４２】
このように本変形例では、係止バネ２３を備えることにより、上記実施形態のように押え板８やネジ９などの部材を用いることなく、表示体２１を係止することができるので、表示体の脱着がより容易となる。また、部品点数を削減することができる。
【００４３】
なお、上記の説明では、支持体が板金で製作される例で説明したので、係止部を板状突起により形成した。このようにすれば、支持体が板金からなる場合に製作が容易となるが、被係止部を着脱可能に係止できるならば、係止部の形状は板状突起に限定されない。例えば、ブロック状に形成してもよいし、板バネなどにより可撓性を有する凹凸形状を形成して構成してもよい。
【００４４】
また、上記の説明では、支持体内に照明手段を備える内照式看板の例で説明したが、本発明の壁面看板は、このような内照式看板に限定されない。
例えば、光源を建物の壁部などの支持体外部に設け、支持体内部に導光して、表示部を裏面照明する壁面看板としてもよい。
また、光源を外部に設けて表示部を表面から照明する壁面看板としてもよい。この場合にも、表示部の表面に枠体などがないため、表示部の表面を有効活用することができ、美観にも優れた壁面看板とすることができる。
【００４５】
また、上記の説明では、内照式看板の例で説明したため、表示体の表示部の材質を光透過性の合成樹脂としたが、表示部の裏面から照明しない場合には、光透過性を有しない合成樹脂を採用してもよい。また、金属板をプレス加工した表示体を採用し、裏面側に被係止部を設けてもよい。
【００４６】
また、上記の変形例の説明では、合成樹脂の一体成形により製作された表示体２１を用いた例で説明したが、係止バネ２３で固定できる形状であれば、複数の部材を接合して被係止部を構成した表示体２のような構成を用いてもよい。
【００４７】
また、上記の説明では、壁面看板の形状が図示の断面を一方向に延した帯状の例で説明したが、そのような形状に限定されるものではない。例えば、建物の角部に設ける場合には、上記に説明した断面を角部に沿ってＬ字状に延した形状を採用することができる。
【図面の簡単な説明】
【００４８】
【図１】本発明の実施形態に係る壁面看板の概略構成について説明するための鉛直方向に沿う断面説明図である。
【図２】図１のＡ部およびＢ部の部分拡大図である。
【図３】本発明の実施形態に係る壁面看板の取り外し動作について説明するための鉛直方向に沿う断面説明図である。
【図４】本発明の実施形態の変形例に係る壁面看板の概略構成について説明するための鉛直方向に沿う断面説明図である。
【図５】本発明の実施形態の変形例に係る壁面看板の係止時および係止解除時の様子について説明するための、図４のＣ部の鉛直方向に沿う断面説明図である。
【符号の説明】
【００４９】
１、２０  パラペット看板（壁面看板）
２、２１  表示体
２Ａ  表示体本体
２Ｂ  店名表示部（表示部）
２Ｃ  係止突起
２Ｄ  係止金具取付部材
２Ｅ  係止金具（被係止部）
２ａ  正面表示部（表示部）
２ｂ、２１ｂ  上側面
２ｃ、２１ｃ  下側面
３  表示体支持部
４  支持筐体（支持体）
４ａ  上端板状突起（板状突起）
４ｂ  上側側面
４ｄ  下側側面
４ｅ  下端板状突起（板状突起）
４ｈ  開口部
６  照明ランプ（照明手段）
７  ガイド板（板状突起）
８  押え板（固定部材）
９  ネジ
２１ａ  表示部
２１ｄ  係止突起部（被係止部）
２１ｅ  係止金具取付部
２３  係止バネ（固定部材）
２３ａ  水平係止部
２３ｂ  鉛直係止部
【図１】
0004757584.tif 000002
【図２】
0004757584.tif 000003
【図３】
0004757584.tif 000004
【図４】
0004757584.tif 000005
【図５】
0004757584.tif 000006